(57)【要約】【課題】脚周りのフィット性を容易に調整可能なパンツタイプ使い捨ておむつを提供する。【解決手段】上記課題は、外装体２０，５０，６０における腹側の幅方向中間部及び背側幅方向中間部に、内外に貫通する腹側内装体貫通部７１及び背側内装体貫通部７２がそれぞれ形成されるとともに、内装体１０の前端部の表面及び後端部の表面に、外装体２０，５０，６０の外面に着脱可能な着脱部７３がそれぞれ設けられており、内装体１０の前側及び後側が、外装体２０，５０，６０の内側から腹側内装体貫通部７１及び背側内装体貫通部７２をそれぞれ通り抜けて外装体２０，５０，６０の外側に延在され、その前端部及び後端部の各着脱部７３が外装体２０，５０，６０の外面に着脱される、ことを特徴とするパンツタイプ使い捨ておむつにより解決される。【選択図】図８
2014045981.tif 000002
【特許請求の範囲】
【請求項１】
装着者の腹側から股間を通り背側まで延在する外装体と、
この外装体の内側に設けられた、吸収体を含む内装体とを備え、
前記外装体の腹側の両側縁部と前記外装体の背側の両側縁部とが接合されて、ウエスト開口部及び左右一対の脚開口部が形成された、パンツタイプ使い捨ておむつにおいて、
前記外装体における腹側の幅方向中間部及び背側幅方向中間部に、内外に貫通する腹側内装体貫通部及び背側内装体貫通部がそれぞれ形成されるとともに、
前記内装体の前端部の表面及び後端部の表面に、外装体の外面に着脱可能な着脱部がそれぞれ設けられており、
前記内装体の前側及び後側が、前記外装体の内側から前記腹側内装体貫通部及び背側内装体貫通部をそれぞれ通り抜けて前記外装体の外側に延在され、その前端部及び後端部の各着脱部が前記外装体の外面に着脱される、
ことを特徴とするパンツタイプ使い捨ておむつ。
【請求項２】
前記外装体は、股間部を含む前後方向中間領域を形成する第１外装体と、第１外装体の前端部と重なる位置から前側の領域及び第１外装体の後端部と重なる位置から後側の領域をそれぞれ形成する一対の第２外装体とからなり、
前記第１外装体の前端部及び後端部と前記第２外装体とが重なる部分のうち、幅方向中間部の両側で第１外装体の内面に第２外装体が接合され、かつ幅方向中間部は第１外装体及び第２外装体が接合されずに前記腹側内装体貫通部及び背側内装体貫通部をなしている、
請求項１記載のパンツタイプ使い捨ておむつ。
【請求項３】
前記外装体と内装体とが股間部で接合されている、請求項１又は２記載のパンツタイプ使い捨ておむつ。
【請求項４】
内装体の前側及び後側における前後方向中間かつ幅方向中間に、刳り貫き部が設けられている、請求項１〜３のいずれか１項に記載のパンツタイプ使い捨ておむつ。
【請求項５】
前記内装体の裏面における幅方向両側部及びそれらの間の中間部に、前後方向に弾性伸縮する伸縮シートがそれぞれ設けられており、かつ幅方向両側部における伸縮シートが幅方向中間部の伸縮シートよりも前後方向に伸び難いものである、請求項１〜４のいずれか１項に記載のパンツタイプ使い捨ておむつ。
【請求項６】
前記腹側内装体貫通部の股間部側と前記内装体の前側とが、及び前記背側内装体貫通部の股間部側と前記内装体の後側とが、それぞれ前後方向に弾性伸縮可能な連結部材により連結されている、請求項１〜５のいずれか１項に記載のパンツタイプ使い捨ておむつ。
【請求項７】
前記外装体における前記腹側内装体貫通部及び背側内装体貫通部の股間側近傍に、貫通部下弾性部材が幅方向に伸長した状態で固定されている、請求項１〜６のいずれか１項に記載のパンツタイプ使い捨ておむつ。
【請求項８】
前記内装体の前端部及び後端部に、前後両側よりも幅の狭い括れ部分が設けられており、前記腹側内装体貫通部及び背側内装体貫通部の幅がこの括れ部分の前後両側よりも狭い、請求項１〜７のいずれか１項に記載のパンツタイプ使い捨ておむつ。
【請求項９】
前記内装体は、股間部より前側及び股間部より後側がそれぞれ幅方向に複数の部分に分割されており、かつ各分割部分に前記着脱部が設けられている、請求項１〜８のいずれか１項に記載のパンツタイプ使い捨ておむつ。
【発明の詳細な説明】
【技術分野】
【０００１】
本発明は、脚周りのフィット性を容易に調整可能としたパンツタイプ使い捨ておむつに関する。
【背景技術】
【０００２】
パンツタイプ使い捨ておむつは、装着者の腹側から股間を通り背側まで延在する外装体と、この外装体の内面に固定された、吸収体を含む内装体とを備え、外装体の腹側の両側縁部と外装体の背側の両側縁部とが接合されることにより、ウエスト開口部及び左右一対の脚開口部が形成されているものである。また、パンツタイプ使い捨ておむつにおいては、フィット性を向上させるために、例えば、脚周り部や胴周り部に糸ゴム等の弾性伸縮部材を設けることが一般的となっている（例えば、特許文献１参照）。
【０００３】
しかし、弾性伸縮部材によるフィット性の改善は、弾性伸縮部材の伸縮性を超えるようなサイズ調節には対応できるものではない。もちろん、おむつ自体のサイズ変更（ＭサイズからＬサイズ等）で対応することも考えられるが、例えば腰回りに比して脚の細い装着者の場合、ウエストの締め付け度合で製品を選ぶことが多く、その結果として脚周りに隙間が発生し、漏れ易くなるといった問題点がある。
【０００４】
このようなパンツタイプ使い捨ておむつの問題点を解決するものとして、筒状の胴回り部と、この胴回り部の腹側部分及び背側部分に対してそれぞれ前端部及び後端部が着脱自在とされた吸収部とからなるものが知られている（特許文献２，３参照）。
【０００５】
特許文献２記載のものは前後両側が着脱可能な点で、特許文献３記載のものより調整の自由度が高いものである。
【０００６】
しかし、特許文献２記載のものでは、吸収部の支持が胴回り部に対する着脱部のみでなされるため、吸収部の取付位置を調整する際、常に吸収部を支えた状態で調整作業を行う必要があり、調整作業は容易なものとは言い難い。また、特許文献２記載のものでは、吸収部を胴回り部の内側に着脱する点でも調整作業は困難である。
【先行技術文献】
【特許文献】
【０００７】
【特許文献１】特開２００６−０４３４１５号公報
【特許文献２】特開２００２−６４１号公報
【特許文献３】特開２０１１−３０７９０号公報
【発明の概要】
【発明が解決しようとする課題】
【０００８】
そこで本発明の主たる課題は、脚周りのフィット性を容易に調整可能なパンツタイプ使い捨ておむつを提供することにある。
【課題を解決するための手段】
【０００９】
上記課題を解決した本発明は次のとおりである。
＜請求項１記載の発明＞
装着者の腹側から股間を通り背側まで延在する外装体と、
この外装体の内側に設けられた、吸収体を含む内装体とを備え、
前記外装体の腹側の両側縁部と前記外装体の背側の両側縁部とが接合されて、ウエスト開口部及び左右一対の脚開口部が形成された、パンツタイプ使い捨ておむつにおいて、
前記外装体における腹側の幅方向中間部及び背側幅方向中間部に、内外に貫通する腹側内装体貫通部及び背側内装体貫通部がそれぞれ形成されるとともに、
前記内装体の前端部の表面及び後端部の表面に、外装体の外面に着脱可能な着脱部がそれぞれ設けられており、
前記内装体の前側及び後側が、前記外装体の内側から前記腹側内装体貫通部及び背側内装体貫通部をそれぞれ通り抜けて前記外装体の外側に延在され、その前端部及び後端部の各着脱部が前記外装体の外面に着脱される、
ことを特徴とするパンツタイプ使い捨ておむつ。
【００１０】
（作用効果）
本発明では、内装体の着脱部の位置を前後方向に変更することにより、脚周りのフィット性（脚開口部の径）を調整することができる。具体的には、内装体の着脱部の位置を股間部側に下げることにより脚周りのフィットを緩くすることができ、股間部側と反対側に上げることにより脚周りのフィットをきつくすることができる。
【００１１】
そして、内装体が外装体の内側に設けられた構造を基本として、内装体の前側及び後側が、外装体の内側から腹側内装体貫通部及び背側内装体貫通部を通り抜けて外装体の外側にそれぞれ延在され、その前端部及び後端部の各着脱部が外装体の外面に着脱される構造となっていると、内装体の着脱部を全て外した状態でも、内装体は外装体により支持されるため、内装体の位置調整作業を容易に行うことができる。また、内装体の着脱部は外装体の外側に露出するため、外装体内に手を入れなくても容易に調整することができる。
【００１２】
＜請求項２記載の発明＞
前記外装体は、股間部を含む前後方向中間領域を形成する第１外装体と、第１外装体の前端部と重なる位置から前側の領域及び第１外装体の後端部と重なる位置から後側の領域をそれぞれ形成する一対の第２外装体とからなり、
前記第１外装体の前端部及び後端部と前記第２外装体とが重なる部分のうち、幅方向中間部の両側で第１外装体の内面に第２外装体が接合され、かつ幅方向中間部は第１外装体及び第２外装体が接合されずに前記腹側内装体貫通部及び背側内装体貫通部をなしている、
請求項１記載のパンツタイプ使い捨ておむつ。
【００１３】
（作用効果）
このように外装体を前後方向に３分割し、第１外装体を外面側として継ぎ目を形成するとともに、継ぎ目の幅方向中間を非接合として内装体貫通部を形成すると、第１外装体の上に、内装体を積層し、さらにその上に第２外装体を張り付けることにより、予め内装体が内装体貫通部に通された製品を容易に製造できるという利点がある。また、第２外装体の股間部側部分が内装体上に延在するため、この部分によって内装体の前後に排泄物の移動を阻止する遮断壁が形成される利点もある。
【００１４】
＜請求項３記載の発明＞
前記外装体と内装体とが股間部で接合されている、請求項１又は２記載のパンツタイプ使い捨ておむつ。
【００１５】
（作用効果）
このように外装体と内装体とを接合することにより、内装体を引き上げる、あるいは引き下げる等の位置調整を行っても外装体が前側や後側に偏ったり、だぶついたりし難くなる。
【００１６】
＜請求項４記載の発明＞
内装体の前側及び後側における前後方向中間かつ幅方向中間に、刳り貫き部が設けられている、請求項１〜３のいずれか１項に記載のパンツタイプ使い捨ておむつ。
【００１７】
（作用効果）
このような刳り貫き部が設けられていると、内装体の前後端部を掴んで引き上げる際、刳り貫き部の周囲が山状に変形して、内装体の幅方向両側部を幅方向中間部よりも引き上げることができ、脚周りに対するフィット性をより一層向上させることができる。
【００１８】
＜請求項５記載の発明＞
前記内装体の裏面における幅方向両側部及びそれらの間の中間部に、前後方向に弾性伸縮する伸縮シートがそれぞれ設けられており、かつ幅方向両側部における伸縮シートが幅方向中間部の伸縮シートよりも前後方向に伸び難いものである、請求項１〜４のいずれか１項に記載のパンツタイプ使い捨ておむつ。
【００１９】
（作用効果）
このように、内装体の幅方向両側部を幅方向中間部よりも伸び難くすることによって、内装体の前後端部を掴んで引き上げる際、内装体の幅方向両側部を幅方向中間部よりも引き上げることができ、脚周りに対するフィット性をより一層向上させることができる。
【００２０】
＜請求項６記載の発明＞
前記腹側内装体貫通部の股間部側と前記内装体の前側とが、及び前記背側内装体貫通部の股間部側と前記内装体の後側とが、それぞれ前後方向に弾性伸縮可能な連結部材により連結されている、請求項１〜５のいずれか１項に記載のパンツタイプ使い捨ておむつ。
【００２１】
（作用効果）
このように外装体及び内装体を前後両側において、前後方向に弾性伸縮可能な連結部材により連結することにより、内装体を引き上げる、あるいは引き下げる等の位置調整を行っても外装体が前側や後側に偏ったり、だぶついたりし難くなる。また、脚周りの締め付けが弾力を伴うものとなる。
【００２２】
＜請求項７記載の発明＞
前記外装体における前記腹側内装体貫通部及び背側内装体貫通部の股間側近傍に、貫通部下弾性部材が幅方向に伸長した状態で固定されている、請求項１〜６のいずれか１項に記載のパンツタイプ使い捨ておむつ。
【００２３】
（作用効果）
このような貫通部下弾性部材を設けることにより、貫通部の下縁が手前に開いて見栄えが悪化するのを防止できる。
【００２４】
＜請求項８記載の発明＞
前記内装体の前端部及び後端部に、前後両側よりも幅の狭い括れ部分が設けられており、前記腹側内装体貫通部及び背側内装体貫通部の幅がこの括れ部分の前後両側よりも狭い、請求項１〜７のいずれか１項に記載のパンツタイプ使い捨ておむつ。
【００２５】
（作用効果）
本発明では、内装体が外装体より抜け落ちるおそれがあるが、このような括れ部を設けて内装体貫通部に引っ掛る構造とすることにより、そのような内装体の抜け落ちを防止することができる。
【００２６】
＜請求項９記載の発明＞
前記内装体は、股間部より前側及び股間部より後側がそれぞれ幅方向に複数の部分に分割されており、かつ各分割部分に前記着脱部が設けられている、請求項１〜８のいずれか１項に記載のパンツタイプ使い捨ておむつ。
【００２７】
（作用効果）
この場合、各分割部分を個別独立に移動させることにより、左脚側及び右脚側のフィット性をそれぞれ適切に調整することができる。
【発明の効果】
【００２８】
以上のとおり、本発明によれば、脚周りのフィット性を容易に調整できるようになる、等の利点がもたらされる。
【図面の簡単な説明】
【００２９】
【図１】展開状態のパンツタイプ使い捨ておむつの平面図（内面側）である。
【図２】展開状態のパンツタイプ使い捨ておむつの平面図（外面側）である。
【図３】主要部品の分解組立図である。
【図４】図１のＣ−Ｃ断面図である。
【図５】図１のＡ−Ａ断面図である。
【図６】図１のＢ−Ｂ断面図である。
【図７】パンツタイプ使い捨ておむつの装着状態の斜視図である。
【図８】内装体の位置変化を概略的に示す縦断面図である。
【図９】内装体の平面図（外面側）である。
【図１０】内装体の平面図（外面側）である。
【図１１】展開状態のパンツタイプ使い捨ておむつの平面図（外面側）である。
【図１２】内装体の位置変化を概略的に示す縦断面図である。
【図１３】展開状態のパンツタイプ使い捨ておむつの平面図（外面側）である。
【図１４】内装体の平面図（外面側）である。
【発明を実施するための形態】
【００３０】
以下、本発明の一実施形態について、添付図面を参照しつつ詳説する。
図１〜図７は実施形態のパンツタイプ使い捨ておむつを示している。このパンツタイプ使い捨ておむつ（以下、単におむつともいう。）は、装着者の腹側から股間を通り背側まで延在する外装体２０と、この外装体２０の内面側に設けられた内装体１０とを有しており、外装体の腹側の両側縁部２１と外装体の背側の両側縁部２２とが接合されて、ウエスト開口部及び左右一対の脚開口部が形成されたものである。内装体１０は液透過性表面シート１１と液不透過性裏面側シート１２との間に吸収体１３が介在されてなるものである。
【００３１】
（外装体の構造例）
図示形態では、外装体２０，５０，６０は、股間部を含む前後方向中間領域を形成する第１外装体２０と、第１外装体２０の前端部と重なる位置から前側の領域及び第１外装体２０の後端部と重なる位置から後側の領域をそれぞれ形成する一対の第２外装体５０，６０とからなる。
【００３２】
外装体２０，５０，６０は、図４〜図６にも示されるように、それぞれ上層不織布２０Ａ，５０Ａ，６０Ａ及び下層不織布２０Ｂ，５０Ｂ，６０Ｂからなる２層構造の不織布シートとされ、上層不織布２０Ａ，５０Ａ，６０Ａと下層不織布２０Ｂ，５０Ｂ，６０Ｂとの間、及び下層不織布５０Ｂ，６０Ｂをウエスト開口縁で内面側に折り返してなる折り返し部分５０Ｃ，６０Ｃの不織布間に各種弾性部材が配設され、伸縮性が付与されている。平面形状は、中間両側部に夫々脚部開口を形成するために形成された凹状の脚回りライン２９により、全体として擬似砂時計形状をなしている。なお、図４中の点模様、並びに図５及び図６中のバツ印部分はホットメルト接着剤等による接合部分を示している。
【００３３】
図示形態の外装体２０，５０，６０においては、弾性部材として、図１及び図２に示される展開形状において、ウエスト開口部近傍２３に配置されたウエスト部弾性部材２４と、前身頃Ｆ及び後身頃Ｂに、縦方向に間隔をおいて幅方向に沿って配置された複数のウエスト下部弾性部材２５とを有するとともに、前身頃Ｆ及び後身頃Ｂのそれぞれにおいて、ウエスト下部弾性部材群２５とは別に、前身頃Ｆと後身頃Ｂとを接合する両側部接合縁から幅方向中央に向かうにつれて反対の身頃側へ向かうように湾曲しつつ、内装体１０の両側部と重なる部位まで（又は両側部の近傍まで等、必ずしも重ならなくても良い）延在するとともに、互いに交差することなく間隔をおいて配置された複数本の湾曲弾性部材２６、２８を備えている。なお、本外装体２０，５０，６０では、脚回りライン２９に沿って実質的に連続する、所謂脚回り弾性部材は設けられていない。
【００３４】
ウエスト部弾性部材２４は、前身頃Ｆと後身頃Ｂとが接合された側部接合縁２１、２２の範囲の内、ウエスト開口縁近傍に上下方向に間隔をおいて配設された複数条の糸ゴム等の細長状弾性部材であり、身体のウエスト部回りを締め付けるように伸縮力を与えることによりおむつを身体に装着するためのものである。このウエスト部弾性部材２４は、図示例では糸ゴムを用いたが、例えばテープ状の伸縮部材を用いてもよい。また、図示形態のウエスト部弾性部材２４は、ウエスト部における下層不織布５０Ｂ，６０Ｂの折り返し部分５０Ｃ，６０Ｃの不織布間に挟持されているが、上層不織布５０Ａ，６０Ａと下層不織布５０Ｂ，６０Ｂとの間に挟持しても良い。
【００３５】
ウエスト下部弾性部材２５は、側部接合縁２１、２２の内、概ね上部から下部までの範囲に亘り、上下方向に間隔をおいて幅方向に沿って配設された糸ゴム等の細長状の弾性部材であり、前身頃Ｆ及び後身頃Ｂのウエスト下部部分に夫々幅方向の伸縮力を与え、おむつを身体に密着させるためのものである。なお、ウエスト部弾性部材２４とウエスト下部弾性部材２５との境界は必ずしも明確でなくてよい。例えば、前身頃Ｆ及び後身頃Ｂに上下方向に間隔をおいて幅方向に配置された弾性部材の内、数は特定できなくても、上部側の何本かがウエスト部弾性部材として機能し、残りの弾性部材がウエスト下部弾性部材として機能していればよい。
【００３６】
後身頃Ｂにおいて、ウエスト下部弾性部材２５とは別に配設された背側湾曲弾性部材２６は、脚回りライン２９に沿う所定の曲線に沿って配置されているものである。背側湾曲弾性部材２６は、一本であっても良いが複数本であるのが好ましく、図示例では糸ゴム等の細長状弾性部材であり、これら背側湾曲弾性部材２６は互いに交差することなく、間隔をおいて配置されている。この背側湾曲弾性部材群２６は、２，３本程度の弾性伸縮部材を間隔を密にして実質的に一束として配置されるのではなく、所定の伸縮ゾーンを形成するように３〜２０ｍｍ、好ましくは６〜１６ｍｍ程度の間隔を空けて、２本以上、好ましくは５本以上配置される。
【００３７】
外装体２０の前身頃Ｆにおいて、ウエスト下部弾性部材群２５とは別に配設された腹側湾曲弾性部材２８も、脚回りライン２９に沿う所定の曲線に沿って配置されている。腹側湾曲弾性部材２８は、一本であっても良いが複数本であるのが好ましく、図示例では糸ゴム等の細長状弾性部材であり、これら腹側湾曲弾性部材２８は、互いに交差することなく、間隔をおいて配置されている。この腹側湾曲弾性部材群２８も、２，３本程度の弾性伸縮部材を間隔を密にして実質的に一束として配置されるのではなく、所定の伸縮ゾーンを形成するように３〜２０ｍｍ、好ましくは６〜１６ｍｍ程度の間隔を空けて、３本以上、好ましくは５本以上配置される。
【００３８】
なお、図示例では、前身頃Ｆ及び後身頃Ｂに配置されたウエスト下部弾性部材２５及び湾曲弾性部材２６、２８は、内装体１０を横切る部分には設けられておらず、当該部分が非伸縮領域とされている。このように、弾性部材を有しない又は設けられていない形態には、弾性部材が存在しない形態の他、弾性部材は存在するが収縮力が作用しない程度に細かく切断させている形態も含まれる。例えば、後者の例としては、ウエスト下部弾性部材２５及び湾曲弾性部材２６、２８を、一方側の側部接合縁２２から内装体１０を横切って他方（反対）側の側部接合縁２２まで連続的に設けた後に、内装体１０を横切る部分の一部又は全部を切断し、不連続とする一般的な形態が含まれる。弾性部材を内装体１０と重なる部分で不連続とすることにより、内装体（特に吸収体１３）の幅方向の縮こまりをより防止することができる。もちろん、ウエスト下部弾性部材２５及び湾曲弾性部材２６、２８を、内装体１０を横切って連続的に配置することもできる。
【００３９】
上述した外装体２０は、例えば特開平４−２８３６３号公報や、特開平１１−３３２９１３号公報記載の技術により製造することができる。また、湾曲弾性部材２６、２８を内装体１０上で切断し不連続化するには、特開２００２−３５０２９号公報、特開２００２−１７８４２８号公報及び特開２００２-２７３８０８号公報に記載される切断方法が好適に採用される。
【００４０】
図示例とは異なり、湾曲弾性部材を、前身頃Ｆ及び後身頃Ｂのいずれか一方にのみ設けるだけでも良い。また、湾曲弾性部材２６、２８を、前身頃Ｆ及び後身頃Ｂの両方に設ける場合、前身頃Ｆ側に配置された湾曲弾性部材の群の一部又は全部と、後身頃Ｂ側に配置された湾曲弾性部材Ｂの群の一部又は全部とが交差する形態（図示せず）も採用できるが、図示例のように、前身頃Ｆ側に配置された湾曲弾性部材２８の群と、後身頃Ｂ側に配置された湾曲弾性部材Ｂの群とは互いに交差することなく前後方向中間部、特に前身頃Ｆに若干偏った位置で縦方向に離間している形態が好適であり、その縦方向離間範囲における最小縦方向離間距離は１０〜１５ｍｍ程度とし、この部分に後述する広幅の固定領域を設けるのが好ましい。
【００４１】
さらに、湾曲弾性部材２６、２８は図示例のようにその全体が湾曲していなくても良く、部分的に直線状の部分を有していても良い。
【００４２】
（内装体の構造例）
内装体１０は、図５〜図７に示すように、不織布などからなる液透過性表面シート１１と、ポリエチレン等からなる液不透過性裏面側シート１２との間に、吸収体１３を介在させた構造を有しており、表面シート１１を透過した排泄液を吸収保持するものである。
【００４３】
吸収体１３の表面側（肌当接面側）を覆う液透過性表面シート１１としては、有孔または無孔の不織布や多孔性プラスチックシートなどが好適に用いられる。不織布を構成する素材繊維は、ポリエチレンまたはポリプロピレン等のオレフィン系、ポリエステル系、ポリアミド系等の合成繊維の他、レーヨンやキュプラ等の再生繊維、綿等の天然繊維とすることができ、スパンレース法、スパンボンド法、サーマルボンド法、メルトブローン法、ニードルパンチ法等の適宜の加工法によって得られた不織布を用いることができる。これらの加工法の内、スパンレース法は柔軟性、ドレープ性に富む点で優れ、サーマルボンド法は嵩高でソフトである点で優れている。液透過性表面シート１１に多数の透孔を形成した場合には、尿などが速やかに吸収されるようになり、ドライタッチ性に優れたものとなる。液透過性表面シート１１は、吸収体１３の側縁部を巻き込んで吸収体１３の裏面側まで延在している。
【００４４】
吸収体１３の裏面側（非肌当接面側）を覆う液不透過性裏面側シート１２は、ポリエチレンまたはポリプロピレンなどの液不透過性プラスチックシートが用いられるが、近年はムレ防止の点から透湿性を有するものが好適に用いられる。この遮水・透湿性シートは、たとえばポリエチレンやポリプロピレン等のオレフィン樹脂中に無機充填材を溶融混練してシートを形成した後、一軸または二軸方向に延伸することにより得られる微多孔性シートである。
【００４５】
吸収体１３としては、公知のもの、例えばパルプ繊維の積繊体、セルロースアセテート等のフィラメントの集合体、あるいは不織布を基本とし、必要に応じて高吸収性ポリマーを混合、固着等してなるものを用いることができ、図示例では平面形状を略方形状として成形されたものが使用され、その幅寸法は股間部への当たりによって着用者にゴワ付き感を与えない寸法幅となっている。この吸収体１３は、形状及びポリマー保持等のため、必要に応じてクレープ紙等の、液透過性及び液保持性を有する包装シート１４によって包装することができる。吸収体１３の形状は、図示形態のように長方形状とする他、背側及び腹側に対して股間部の幅が狭い砂時計形状（括れ形状）とすることもできる。
【００４６】
内装体１０の両側部には脚周りにフィットする立体ギャザーＢＳが形成されているのが好ましい。この立体ギャザーＢＳはギャザー不織布１５により形成される、ギャザー不織布としては、図６及び図７に示されるように、折返しによって二重シートとした不織布が好適に用いられ、液透過性表面シート１１によって巻き込まれた吸収体１３の側縁部をさらにその上側から巻き込んで吸収体１３の裏面側まで延在して接着されている。より具体的には、ギャザー不織布１５は、おむつの長手方向中間部では、立体ギャザーＢＳ形成部分を残し、幅方向中間部から吸収体１３の裏面側に亘る範囲がホットメルト接着剤等によって接着され、また長手方向前後端部では、幅方向中間部から一方側端縁までの区間が吸収体１３の裏面側に亘る範囲で接着されるとともに、立体ギャザーＢＳを形成する部分を吸収体１３の上面部にて折り畳むようにしながらホットメルト接着剤等により接着している。
【００４７】
二重シート不織布によって形成されたギャザー不織布１５の内部には、起立先端側部分に複数本の糸状弾性伸縮部材１６、１６…が配設されている。糸状弾性伸縮部材１６、１６…は、製品状態において図６に二点鎖線で示すように、弾性伸縮力により吸収体側縁部より突出する不織布部分を起立させて立体ギャザーＢＳを形成するためのものである。
【００４８】
液不透過性裏面側シート１２は、二重シート状のギャザー不織布１５の内部まで進入し、図６に示されるように、立体ギャザーＢＳの下端側において防漏壁を構成するようになっている。この液不透過性裏面側シート１２としては、排便や尿などの褐色が出ないように不透明のものを用いるのが望ましい。不透明化としては、プラスチック中に、炭酸カルシウム、酸化チタン、酸化亜鉛、ホワイトカーボン、クレイ、タルク、硫酸バリウムなどの顔料や充填材を内添してフィルム化したものが好適に使用される。
【００４９】
糸状弾性伸縮部材１６としては、通常使用されるスチレン系ゴム、オレフィン系ゴム、ウレタン系ゴム、エステル系ゴム、ポリウレタン、ポリエチレン、ポリスチレン、スチレンブタジエン、シリコン、ポリエステル等の素材を用いることができる。また、外側から見え難くするため、太さは９２５ｄｔｅｘ以下、テンションは１５０〜３５０％、間隔は７．０ｍｍ以下として配設するのがよい。なお、糸状弾性伸縮部材に代えて、ある程度の幅を有するテープ状弾性伸縮部材を用いるようにしてもよい。
【００５０】
前述のギャザー不織布１５を構成する素材繊維も液透過性表面シート１１と同様に、ポリエチレンまたはポリプロピレン等のオレフィン系、ポリエステル系、アミド系等の合成繊維の他、レーヨンやキュプラ等の再生繊維、綿等の天然繊維とすることができ、スパンボンド法、サーマルボンド法、メルトブローン法、ニードルパンチ法等の適宜の加工方法に得られた不織布を用いることができるが、特にはムレを防止するために坪量を抑えて通気性に優れた不織布を用いるのがよい。さらにギャザー不織布１５については、尿などの透過を防止するとともに、カブレを防止しかつ肌への感触性（ドライ感）を高めるために、シリコン系、パラフィン金属系、アルキルクロミッククロイド系撥水剤などをコーティングした撥水処理不織布を用いるのが望ましい。
【００５１】
（内装体と外装体との着脱）
特徴的には、外装体２０，５０，６０における腹側の幅方向中間部及び背側幅方向中間部に、内外に貫通する腹側内装体貫通部７１及び背側内装体貫通部７２がそれぞれ形成されるとともに、内装体１０の前端部の表面及び後端部の表面に、外装体２０，５０，６０の外面に着脱可能な着脱部７３がそれぞれ設けられており、内装体１０の前側及び後側が、外装体２０，５０，６０の内側から腹側内装体貫通部７１及び背側内装体貫通部７２を通り抜けて外装体２０，５０，６０の外側にそれぞれ延在され、その前端部及び後端部の各着脱部７３が外装体２０，５０，６０の外面に着脱される構造となっている。着脱部７３は、粘着剤層や面ファスナー（メカニカルファスナー）の雄材（フックテープ）により設けることができる。
【００５２】
これにより、内装体１０の着脱部７３の位置を前後方向に変更することにより、脚周りのフィット性を調整することができる。具体的には、図８（ａ）に示すように、内装体１０の着脱部７３の位置を股間部側に下げることにより脚周りのフィットを緩くすることができ、図８（ｂ）に示すように、股間部側と反対側に上げることにより脚周りのフィットをきつくすることができる。また、内装体１０が外装体２０，５０，６０の内側に設けられた構造を基本として、内装体１０の前側及び後側が、外装体２０，５０，６０の内側から腹側内装体貫通部７１及び背側内装体貫通部７２を通り抜けて外装体２０，５０，６０の外側にそれぞれ延在され、その前端部及び後端部の各着脱部７３が外装体２０，５０，６０の外面に着脱される構造となっていると、内装体１０の着脱部７３を全て外した状態でも、内装体１０は外装体２０，５０，６０により支持されるため、内装体１０の位置調整作業を容易に行うことができる。さらに、内装体１０の着脱部７３は外装体２０，５０，６０の外側に露出するため、外装体２０，５０，６０内に手を入れなくても容易に調整することができる。
【００５３】
腹側内装体貫通部７１及び背側内装体貫通部７２を形成するために、図示例では、第１外装体２０の前端部及び後端部と第２外装体５０，６０とが重なる部分のうち、幅方向中間部の両側で第１外装体２０の内面に第２外装体５０，６０が接合され（図ではこの接合部分は符号７４により示されている）、かつ幅方向中間部は第１外装体２０及び第２外装体５０，６０が接合されずに腹側内装体貫通部７１及び背側内装体貫通部７２をなしている。このように外装体２０，５０，６０を前後方向に３分割し、第１外装体２０を外面側として継ぎ目を形成するとともに、継ぎ目の幅方向中間を非接合として腹側内装体貫通部７１及び背側内装体貫通部７２をそれぞれ形成すると、図３に示すように、第１外装体２０の上に、内装体１０を積層し、さらにその上に第２外装体５０，６０を張り付けることにより、予め内装体１０が腹側内装体貫通部７１及び背側内装体貫通部７２にそれぞれ通された製品を容易に製造できるという利点がある。また、第２外装体５０，６０の股間部側部分が内装体１０上に延在するため、この部分によって内装体１０の前後に排泄物の移動を阻止する遮断壁が形成される利点もある。もちろん、外装体２０，５０，６０を一体的に形成し、その所定部位にスリットを入れて腹側内装体貫通部７１及び背側内装体貫通部７２を形成することもできる（図示略）。
【００５４】
外装体２０，５０，６０と内装体１０とは、着脱部７３以外では接合しなくても良いが、図示形態のように股間部等の適所でホットメルト接着剤等により接合すると（図ではこの接合部分は符号７５により示されている）、内装体１０を引き上げる、あるいは引き下げる等の位置調整を行っても外装体２０，５０，６０が前側や後側に偏ったり、だぶついたりし難くなるため好ましい。
【００５５】
また、この外装体２０，５０，６０と内装体１０との接合に代えて、又はこれとともに、図１１及び図１２に示すように、腹側内装体貫通部７１の股間部側と内装体１０の前側とが、及び背側内装体貫通部７２の股間部側と内装体１０の後側とが、それぞれ前後方向に弾性伸縮可能な連結部材８０により連結されている形態も好ましい。この場合も、外装体２０，５０，６０及び内装体１０を前後両側において、前後方向に弾性伸縮可能な連結部材８０により連結することにより、内装体１０を引き上げる、あるいは引き下げる等の位置調整を行っても外装体２０，５０，６０が前側や後側に偏ったり、だぶついたりし難くなる。また、脚周りの締め付けが弾力を伴うものとなる。連結部材８０の寸法・形状は適宜定めることができるが、図示形態のように内装体１０と略同幅のシート状のものを用いる他、細長帯状のものを幅方向に間隔をあけて複数設けることもできる。
【００５６】
また、図１３に示すように、外装体２０，５０，６０（図示例の場合第１外装体２０）における腹側内装体貫通部７１及び背側内装体貫通部７２の股間側近傍に、貫通部下弾性部材２７が幅方向に伸長した状態で固定されているのも一つの好ましい形態である。このような貫通部下弾性部材２７を設けることにより、貫通部の下縁が手前に開いて見栄えが悪化するのを防止できる。貫通部下弾性部材２７としては、糸状等の細長状弾性部材を用いることができ、一本設ける他、複数本設けることもできる。なお、図１３に示す例は内装体１０に括れ部分を設ける等しているが、この括れ部分等に係る構造は貫通部下弾性部材２７を設けることに関して必須ではない。
【００５７】
他方、本発明では内装体１０の位置調整を行う際、内装体１０の幅方向両側部が幅方向中央部に比して垂れ下がるおそれがある。これを解決するものとして次の構造が提案される。
【００５８】
すなわち、第一の構造は、図９に示すように、内装体１０の前側及び後側（図示形態では着脱部７３の股間側近傍）における前後方向中間かつ幅方向中間に、刳り貫き部１７が設けられているものである。このような刳り貫き部１７が設けられていると、内装体１０の前後端部を掴んで引き上げる際、図９に点鎖線で示すように、刳り貫き部１７の周囲が山状に変形して、内装体１０の幅方向両側部を幅方向中間部よりも引き上げることができ、脚周りに対するフィット性をより一層向上させることができる。刳り貫き部１７の形状は特に限定されず、図示形態のような矩形状とするほか、円形状等とすることができる。
【００５９】
第二の構造は、図１０に示すように、内装体１０の裏面における幅方向両側部及びそれらの間の中間部に、前後方向に弾性伸縮する伸縮シート１８Ｃ，１８Ｓがそれぞれ設けられており、かつ幅方向両側部における伸縮シート１８Ｓが幅方向中間部の伸縮シート１８Ｃよりも前後方向に伸び難い構造である。このように、内装体１０の幅方向両側部を幅方向中間部よりも伸び難くすることによって、内装体１０の前後端部を掴んで引き上げる際、内装体１０の幅方向両側部を幅方向中間部よりも引き上げることができ、脚周りに対するフィット性をより一層向上させることができる。
【００６０】
第三の構造は、図１４に示すように、内装体１０が、股間部より前側及び股間部より後側が切れ目１０ｄによりそれぞれ幅方向に複数の部分１０Ｃ，１０Ｓに分割されており、かつ各分割部分１０Ｃ，１０Ｓに着脱部７３が設けられているものである。この場合、各分割部分１０Ｃ，１０Ｓを個別独立に移動させることにより、図１４に二点鎖線で示すように、左脚側及び右脚側のフィット性をそれぞれ適切に調整することができる。図示例では分割数は３つとされているが、２つとしたり、あるいは４以上としたりすることもできる。なお、図示例では、吸収体１３についても、股間部より前側及び股間部より後側がそれぞれ幅方向に間隔を空けて複数の部分１３Ｃ，１３Ｓに分割されているものの、股間部では分割されずに幅方向に連続している。
【００６１】
内装体１０の前後方向長さは、着脱部７３間の前後方向長さが腹側内装体貫通部７１及び背側内装体貫通部７２より長くなる限り特に限定されないが、通常の場合、おむつの全長未満である。腹側内装体貫通部７１及び背側内装体貫通部７２の幅は、内装体１０の幅と同じとする他、狭くしたり、広くしたりすることができ、特に若干狭くすると、内装体１０が腹側内装体貫通部７１及び背側内装体貫通部７２から抜け落ちにくくなるため好ましい。さらにこれを発展させて、図１３に示すように、内装体１０の前端部及び後端部に、前後両側よりも幅の狭い括れ部分１９を設け、腹側内装体貫通部７１及び背側内装体貫通部７２の幅をこの括れ部分１９の前後両側よりも狭くすると、括れ部が腹側内装体貫通部７１及び背側内装体貫通部７２に引っ掛るため、内装体１０の抜け落ちをより効果的に防止することができる。
【００６２】
また、図示形態のように吸収体１３の前後方向長さを短縮し、内装体１０の前側及び後側の部分、特に製品状態で腹側内装体貫通部７１及び背側内装体貫通部７２を通り抜けて外装体２０，５０，６０の外側にそれぞれ延在する部分には吸収体１３を設けずに、フラップ部ＥＦ（図４参照）として構成すると製品状態で不必要に厚みが増加せず、また内装体１０の前後端部を掴み易くなるため好ましい。また、このようなフラップ部を設けると、図９に示すように刳り貫き部１７をフラップ部ＥＦ内に設けたり、図１４に示す例と同様に切れ目１０ｄを設ける場合に切れ目をフラップ部ＥＦ内に設けたりする際、製造が容易となるという利点ももたらされる。
【産業上の利用可能性】
【００６３】
本発明は、上記例のようなパンツタイプ使い捨ておむつにおいて利用できるものである。
【符号の説明】
【００６４】
Ｂ…後身頃、Ｆ…前身頃、１０…内装体、１１…液透過性表面シート、１２…液不透過性裏面側シート、１３…吸収体、１４…包装シート、１５…ギャザー不織布、１６…糸状弾性伸縮部材、１７…刳り貫き部、１９…括れ部分、２０，５０，６０…外装体、２０…第１外装体、２１，２２…側部接合縁、２４…ウエスト部弾性部材、２５…ウエスト下部弾性部材、２６…背側湾曲弾性部材、２７…貫通部下弾性部材、２８…腹側湾曲弾性部材、２９…脚回りライン、５０，６０…第２外装体、５０Ｃ，６０Ｃ…外装体折り返し部、７１…腹側内装体貫通部、７２…背側内装体貫通部、７３…着脱部、８０…連結部材。
【図１】
2014045981.tif 000003
【図２】
2014045981.tif 000004
【図３】
2014045981.tif 000005
【図４】
2014045981.tif 000006
【図５】
2014045981.tif 000007
【図６】
2014045981.tif 000008
【図７】
2014045981.tif 000009
【図８】
2014045981.tif 000010
【図９】
2014045981.tif 000011
【図１０】
2014045981.tif 000012
【図１１】
2014045981.tif 000013
【図１２】
2014045981.tif 000014
【図１３】
2014045981.tif 000015
【図１４】
2014045981.tif 000016